(57)【要約】      （修正有）【課題】意匠の系譜が刀の鍔の流れを汲み、日本の長い歴史の中で培われてきた襖引手の技術を、今日の生活において工芸品として活用する飾り金具を提供する。【解決手段】飾り金具１は、通し孔の周囲に環状に広がり、透かし鍔の紋様を有する飾り部２と、飾り部２の背面に配置し、飾り部２の透かし５を通して絵柄が見える装飾座４を有する。飾り部２が襖引手の座であり、鉄製の基材の上に塗装を施している。【選択図】図１
0003215936.tif 000002
【実用新案登録請求の範囲】
【請求項１】
通し孔の周囲に環状に広がり、透かしを有する飾り部と、飾り部の背面に配置し、飾り部の透かしを通して絵柄が見える紙または布からなる装飾座を有することを特徴とする飾り金具。
【請求項２】
飾り部の透かしが、透かし鍔の紋様からなることを特徴とする請求項１に記載の飾り金具。
【請求項３】
装飾座が京友禅和紙からなることを特徴とする請求項１または２に記載の飾り金具。
【請求項４】
装飾座が絹布からなることを特徴とする請求項１または２に記載の飾り金具。
【請求項５】
飾り部が襖引手の座であることを特徴とする請求項１から４の何れか１項に記載の飾り金具。
【請求項６】
装飾座の背面に配置し、飾り部との間に装飾座を挟持する敷座を有することを特徴とする請求項１から５の何れか１項に記載の飾り金具。
【請求項７】
装飾座および敷座が飾り部と同様の環状をなしてそれぞれに通し孔を有し、飾り部、装飾座、敷座の通し孔に挿入して胴を配置し、敷座の背面に有底筒状のカバーを胴に着脱自在に嵌合させて配置したことを特徴とする請求項６に記載の飾り金具。
【請求項８】
装飾座が取り換え自在であることを特徴とする請求項１から７の何れか１項に記載の飾り金具。
【請求項９】
表裏に一対の飾り部を有し、表裏の飾り部の間に装飾座を挟持してなることを特徴とする請求項１、２、３、４、５、８の何れか１項に記載の飾り金具。
【請求項１０】
請求項７または８に記載の飾り金具からなることを特徴とする和紙引手。
【請求項１１】
カバーの内底面に装飾座と同様の装飾材を配置し、装飾材の上に保護フィルムを配置してなることを特徴とする請求項１０に記載の和紙引手。
【請求項１２】
請求項７または８に記載の飾り金具からなり、カバーの内底面が写真の貼着面をなすことを特徴とする写真立て。
【請求項１３】
請求項１から８の何れか１項に記載の飾り金具からなることを特徴とする壁飾り。
【請求項１４】
請求項１から９の何れか１項に記載の飾り金具に、耳タブに装着可能な基礎金具を有することを特徴とするイヤリング。
【請求項１５】
請求項１から９の何れか１項の記載の飾り金具に、衣服に装着可能な基礎金具を有することを特徴とするブローチ。
【請求項１６】
請求項１から９の何れか１項の記載の飾り金具に、チェーンに装着可能な基礎金具を有することを特徴とするペンダントトップ。
【考案の詳細な説明】
【技術分野】
【０００１】
本考案は、襖引手、写真立て、壁飾り、イヤリング、ペンダントトップ、ブローチ等として利用できる飾り金具に関する。
【背景技術】
【０００２】
従来、例えば特許文献１には、仕切用装飾引手が記載されている。これは、仕切を貫通し、挟んで設けられた２つの透明な引手本体と、前記引手本体に設けられた手を掛ける凹部とつば部と、前記凹部の底部裏面に設けられた不透明なデザイン体と、前記凹部の側面外側と前記つば部を覆う不透明なリングとを備え、前記リングを介して前記２つの引手本体を接続してなり、前記引手本体を通してデザイン体が見えるものである。
【０００３】
また、特許文献２には、装飾引手が記載されている。これは、表面に手を掛けるための凹部を有する適宜の形状をなす取付枠体と、それぞれに異なった装飾模様を施してなる複数の装飾体とからなる。前記取付枠体の凹部底面には少なくとも１以上の貫通孔を穿設し、かつ前記装飾体を前記凹部内に感圧接着剤等を介して取り換え自在に収納したものである。
【特許文献１】特許５７８６２６０
【特許文献２】特開平１−７３２６３
【考案の開示】
【考案が解決しようとする課題】
【０００４】
襖は、唐紙とも呼ばれ、襖障子ともいう柱間装置のひとつで、敷居・鴨居にもうけた溝を滑らせて引き違い、ときには開き戸としての役目で、部屋間の間仕切りとして使われるものである。襖の発祥からのち、長年の間にその製法が極限まで修練され、今の完成形に至っており、表具職人と一体の日本文化である。
【０００５】
寝殿造りの古いものには建具よりも衝立的な役割の几帳・屏風が多く見られ、その頃に、装置として建築にはめ込んだのが襖の始まりであると云われており、当初の襖には引手はなかった。後に引き戸の手がかりに穴を開け紐を通して表裏それぞれに垂らした紐を引っ張って使った。さらに、その紐引手がのちに建具に埋め込む引手になったと云われる。      
【０００６】
武家文化においては、引手の形や紋様に、家紋や刀の鍔の形が採用されたものがあり、刀の鍔の紋様には、図柄を残して地を抜いた地透鐔（じすかしつば）と呼ばれるものがある。このため、襖引手や金具細工の職人たちは、かつて刀の鍔をつくっていた金工の流れを汲んでおり、その細やかな意匠の表現を競って襖引手が作られている。
【０００７】
本考案は、意匠の系譜が刀の鍔の流れを汲み、日本の長い歴史の中で培われてきた襖引手の技術を、今日の生活において工芸品として活用する飾り金具を提供することを目的とする。
【課題を解決するための手段】
【０００８】
上記課題を解決するために、本考案の飾り金具は、通し孔の周囲に環状に広がり、透かしを有する飾り部と、飾り部の背面に配置し、飾り部の透かしを通して絵柄が見える紙または布からなる装飾座を有することを特徴とする。
【０００９】
本考案の飾り金具において、飾り部の透かしが、透かし鍔の紋様からなることを特徴とする。
【００１０】
本考案の飾り金具において、装飾座が京友禅和紙からなることを特徴とする
本考案の飾り金具において、装飾座が絹布からなることを特徴とする。
【００１１】
本考案の飾り金具において、飾り部が襖引手の座であることを特徴とする。
【００１２】
本考案の飾り金具において、装飾座の背面に配置し、飾り部との間に装飾座を挟持する敷座を有することを特徴とする。
【００１３】
本考案の飾り金具において、装飾座および敷座が飾り部と同様の環状をなしてそれぞれに通し孔を有し、飾り部、装飾座、敷座の通し孔に挿入して胴を配置し、敷座の背面に有底筒状のカバーを胴に着脱自在に嵌合させて配置したことを特徴とする。
【００１４】
本考案の飾り金具において、装飾座が取り換え自在であることを特徴とする。
【００１５】
本考案の飾り金具において、表裏に一対の飾り部を有し、表裏の飾り部の間に装飾座を挟持してなることを特徴とする。
【００１６】
本考案の和紙引手は、上記の何れかの飾り金具からなることを特徴とする。
【００１７】
本考案の和紙引手は、カバーの内底面に装飾座と同様の装飾材を配置し、装飾材の上に保護フィルムを配置してなることを特徴とする。
【００１８】
本考案の写真立ては、上記の何れかの飾り金具からなり、カバーの内底面が写真の貼着面をなすことを特徴とする。
【００１９】
本考案の壁飾りは、上記の何れかの飾り金具からなることを特徴。
【００２０】
本考案のイヤリングは、上記の何れかの飾り金具に、耳タブに装着可能な基礎金具を有することを特徴とする。
【００２１】
本考案のブローチは、上記の何れかの飾り金具に、衣服に装着可能な基礎金具を有することを特徴とする。
【００２２】
本考案のペンダントトップは、上記の何れかの飾り金具に、チェーンに装着可能な基礎金具を有することを特徴とする。
【考案の効果】
【００２３】
以上の本考案によれば、飾り部と、透かしを通して見える装飾座の絵柄とを一体的に見ることができる。さらに、飾り部の意匠が刀の鍔の流れを汲む透かし鍔の紋様であることで、透かし鍔の文様と装飾座の絵柄とが一体的に見えるので、日本の長い歴史の中で培われてきた伝統的な意匠を現代の生活において工芸品として活用することができる。特に、装飾座に京友禅和紙を採用することで、透かし鍔との相乗効果により一層伝統美を醸し出すことができる。今日の住居において、襖や板戸の引手として使用することにより、伝統的な華やかさを添えることができる。また、カバーの内底に思い人や記念写真を張って写真立てとして利用することで、思い出に花を添えることができる。あるいは、飾り金具を単独で、もしくは複数を連接して壁飾りとすることもできる。さらには、イヤリング、ブローチ、ペンダントトップとして利用できる。
【図面の簡単な説明】
【００２４】
【図１】本考案の実施の形態における飾り金具を示す斜視図
【図２】同実施の形態における飾り金具の表面側から見た分解斜視部
【図３】同実施の形態における飾り金具の裏面側から見た分解斜視部
【図４】同実施の形態における京友禅和紙を例示し、（ａ）は材料紙の斜視図、（ｂ）は内底に配置する装飾座、（ｃ）は飾り部の背面に配置する装飾座
【図５】（ａ）から（ｃ）は、同実施の形態おける飾り部の透かし鍔の紋様を例示する斜視図
【図６】本考案の他の実施の形態における飾り金具を示し、（ａ）は表面側の斜視図、（ｂ）は裏面側の斜視図
【図７】同実施の形態における飾り金具の制作途中の構成を示す斜視図
【図８】本考案の他の実施の形態におけるイヤリングを示す背面側の斜視図
【図９】同実施の形態におけるイヤリングの表面側の斜視図
【図１０】本考案の他の実施の形態におけるペンダントトップを示す斜視図
【考案を実施するための形態】
【００２５】
以下、本考案の実施の形態を図面に基づいて説明する。
実施例１
図１〜図４に示すように、本考案の飾り金具１は、襖引手となる和紙引手、写真立て、壁飾り、イヤリング、ブローチ、ペンダントトップ等として利用可能である。
【００２６】
飾り金具１は、透かしを有する飾り部２を有している。ここでは、透かしが透かし鍔の紋様を有している。この透かし鍔の紋様は、かつて刀の鍔をつくっていた金工の流れを汲む襖引手や金具細工の職人たちによって引き継がれてきた武家の家紋や刀の鍔の意匠であり、図柄を残して地を抜いた地透鐔（じすかしつば）と呼ばれるものである。図５に示すように、飾り部２の透かし鍔の紋様には種々のものがある。
【００２７】
ここでは、飾り部２が襖引手の座であり、鉄製の基材の上に塗装を施してなる。飾り部２をなす座は、中央に通し孔３を有し、通し孔３の周囲に環状に広がる形状をなす。飾り部２の背面側には装飾座４を配置しており、飾り部２の透かし５を通して装飾座４の絵柄が見える。
【００２８】
ここでは、装飾座４に京友禅和紙を採用しているが、京友禅和紙の絵柄には例示したもの以外に種々のものがある。また、装飾座４には、京友禅和紙以外の装飾紙を使用することも可能であり、紙材以外に布地を使用することも可能であり、布地としては絹布等が適している。
【００２９】
図４に示すように、環状の装飾座４は材料紙２１を切り抜いて制作し、後述する円形の環状紙１４も材料紙２１から切り出す。
【００３０】
装飾座４の背面側には真鍮製の敷座６を配置しており、敷座６が飾り部２との間に装飾座を挟持している。装飾座４および敷座６は飾り部２の座と同様の環状をなしてそれぞれに通し孔７、８を有する。飾り部２、装飾座４、敷座６の通し孔３、７、８には鉄製の胴９を挿入している。
【００３１】
ここでは、通し孔３、７、８および胴９が円形をなすが、長円、矩形、その他の形状とすることも可能である。胴９は短い筒状をなし、飾り部２の表面側に対応する端部にフランジ様の縁部１０を有し、飾り部２の表面から敷座６の裏面に向けて通し孔３、７、８を貫通し、さらに敷座６の裏面から所定長さだけ突出した嵌合代１１を有している。
【００３２】
敷座６の背面に配置する真鍮製のカバー１２は、ここでは円形の有底筒状をなし、胴９の嵌合代１１に着脱自在に嵌合しており、敷座６の裏面に対応する端部にフランジ様の縁部１３を有している。
【００３３】
ここでは、カバー１２の内底面に装飾座４と同じ絵柄の装飾材１４を別途に貼着しているが、他の絵柄の装飾材１４や写真等を貼ることも可能である。また、装飾材１４の上には保護フィルム（図示省略）を配置している。
【００３４】
本実施例１では、胴９とカバー１２とにより、すなわち胴９の縁部１０とカバー１２の縁部１３との間に飾り部２、装飾座４、敷座６を挟持しており、胴９とカバー１２の嵌合を解除することで分解でき、装飾座４の取り換えが自在である。また、胴９とカバー１２に、それらの径方向に貫通する穴を形成し、穴に止め具として釘等を挿入することも可能である。さらに、飾り金具１は、飾り部２と装飾座４だけの構成、すなわち敷座６、胴９、カバー１２を設けない構成とすることも可能である。
【００３５】
このように、飾り金具１は、飾り部２の意匠が刀の鍔の流れを汲む透かし鍔の紋様であり、この透かし鍔の紋様と透かし５を通して見える装飾座４の絵柄とを一体的に見ることができ、日本の長い歴史の中で培われてきた伝統的な意匠を現代の生活において工芸品として活用することができる。
【００３６】
特に、装飾座４に京友禅和紙を採用することで、透かし鍔との相乗効果により一層伝統美を醸し出すことができる。
実施例２
図６および図７に示すように、飾り金具３１として表裏に一対の飾り部２を配置し、環状の装飾座４もしくは通し孔３のない円形の装飾座を、その裏面を相互に対応させた状態で一対の飾り部２の間に挟持し、一対の飾り部２を相互に固定することも可能である。この場合には、紐等でつり下げて使用することも可能である。
【００３７】
また、本考案の飾り金具１を和紙引手に採用し、今日の住居の襖や板戸の引手として使用することにより、襖や板戸に伝統的な華やかさを添えることができる。
【００３８】
また、飾り金具１は、カバー１２の内底面１５に思い人や記念写真を張って写真立てとして利用することもでき、思い出に花を添えることができる。
【００３９】
あるいは、飾り金具１を単独で、もしくは複数を連接して壁飾りとすることもできる。
【００４０】
さらに、図８に示すように、図１に示した飾り金具１のカバー１２の外底面１２１に、耳タブに装着可能な基礎金具４１を取り付けてイヤリング４１とすることも可能である。ここでは、基礎金具４２としてねじ式のものを開示するが、ピアス式、ばね式等のものを採用することも可能である。
【００４１】
また、図９に示すように、図６、図７に示した飾り金具３１に基礎金具４２を設けることも可能である。
【００４２】
また、図示を省略するが、基礎金具４１として衣服に装着可能な基礎金具を採用することでブローチとすることも可能である。
【００４３】
さらに、図１０に示すように、飾り金具１はペンダントトップ５１にすることも可能である。この場合には、図１に示した飾り金具１のカバー１２の外底面１２１にチェーン５２に装着可能な基礎金具（図示省略）を設ける。飾り金具１は図６、図７に示した飾り金具３１とすることも可能であり、この場合には、通し孔３にチェーン５２を通して使用することも可能である。
【符号の説明】
【００４４】
１、３１  飾り金具
２    飾り部
３、７、８  通し孔
４、１４  装飾座
５    透かし
２１    材料紙
６    敷座
９    胴
１０、１３  縁部
１１    嵌合代
１２    カバー
１５    内底面
４１    イヤリング
４２    基礎金具
５１    ペンダントトップ
５２    チェーン
【図１】
0003215936.tif 000003
【図２】
0003215936.tif 000004
【図３】
0003215936.tif 000005
【図４】
0003215936.tif 000006
【図５】
0003215936.tif 000007
【図６】
0003215936.tif 000008
【図７】
0003215936.tif 000009
【図８】
0003215936.tif 000010
【図９】
0003215936.tif 000011
【図１０】
0003215936.tif 000012
【手続補正書】
【提出日】平成30年2月13日(2018.2.13)
【手続補正１】
【補正対象書類名】実用新案登録請求の範囲
【補正対象項目名】全文
【補正方法】変更
【補正の内容】
【実用新案登録請求の範囲】
【請求項１】
通し孔の周囲に環状に広がり、透かしを有する飾り部と、飾り部の背面に配置し、飾り部の透かしを通して絵柄が見える紙または布からなる装飾座を有することを特徴とする飾り金具。
【請求項２】
飾り部の透かしが、透かし鍔の紋様からなることを特徴とする請求項１に記載の飾り金具。
【請求項３】
装飾座が京友禅和紙からなることを特徴とする請求項１または２に記載の飾り金具。
【請求項４】
装飾座が絹布からなることを特徴とする請求項１または２に記載の飾り金具。
【請求項５】
飾り部が襖引手の座であることを特徴とする請求項１から４の何れか１項に記載の飾り金具。
【請求項６】
装飾座の背面に配置し、飾り部との間に装飾座を挟持する敷座を有することを特徴とする請求項１から５の何れか１項に記載の飾り金具。
【請求項７】
装飾座および敷座が飾り部と同様の環状をなしてそれぞれに通し孔を有し、飾り部、装飾座、敷座の通し孔に挿入して胴を配置し、敷座の背面に有底筒状のカバーを胴に着脱自在に嵌合させて配置したことを特徴とする請求項６に記載の飾り金具。
【請求項８】
装飾座が取り換え自在であることを特徴とする請求項１から７の何れか１項に記載の飾り金具。
【請求項９】
表裏に一対の飾り部を有し、表裏の飾り部の間に装飾座を挟持してなることを特徴とする請求項１、２、３、４、５、８の何れか１項に記載の飾り金具。
【請求項１０】
請求項７または８に記載の飾り金具からなることを特徴とする和紙引手。
【請求項１１】
請求項７に記載の飾り金具からなり、カバーの内底面に装飾座と同様の装飾材を配置し、装飾材の上に保護フィルムを配置してなることを特徴とする和紙引手。
【請求項１２】
請求項７に記載の飾り金具からなり、カバーの内底面が写真の貼着面をなすことを特徴とする写真立て。
【請求項１３】
請求項１から８の何れか１項に記載の飾り金具からなることを特徴とする壁飾り。
【請求項１４】
請求項１から９の何れか１項に記載の飾り金具に、耳タブに装着可能な基礎金具を有することを特徴とするイヤリング。
【請求項１５】
請求項１から９の何れか１項の記載の飾り金具に、衣服に装着可能な基礎金具を有することを特徴とするブローチ。
【請求項１６】
請求項１から９の何れか１項の記載の飾り金具に、チェーンに装着可能な基礎金具を有することを特徴とするペンダントトップ。